(57)【要約】      （修正有）【課題】区間時間において歩数計測できない時間が生じた場合でも、より正確なピッチを得ることができる機器を提供する。【解決手段】加速度センサ１０１は歩行に対応する歩行信号を、フィルタ部１０２、増幅部１０３、二値化部１０４を介してＣＰＵ１０５に出力する。記憶部１１０はピッチを計測区間時間の計測時間である区間内有効時間に関する情報及び歩数を記憶する。ＣＰＵ１０５は、歩数計時動作を行って、ピッチを計測する区間時間内の歩数計測可能な区間内有効時間に関する情報を得て記憶部１１０に記憶し、加速度センサ１０５が検出した歩行信号に基づいて区間時間における歩数を計数して記憶部１１０に記憶する。ＣＰＵ１０５は、記憶部１１０に記憶した区間内有効時間に関する情報と区間時間における歩数とに基づいて、区間時間の歩行ピッチを算出する。【選択図】図１
2010051548.tif 000002
【特許請求の範囲】
【請求項１】
周期的に発生する周期的信号を検出する検出手段と、
ピッチを計測する時間である区間時間中の計測可能な時間である区間内有効時間に関する情報及び前記周期的信号を計数した計数値を記憶する記憶手段と、
計時動作を行い、前記区間内有効時間に関する情報を得て前記記憶手段に記憶する計時手段と、
前記検出手段が検出した周期的信号に基づいて前記区間時間における周期的信号を計数し当該計数値を前記記憶手段に記憶する歩数計数手段と、
前記記憶手段に記憶した区間内有効時間に関する情報と前記区間時間における計数値とに基づいて前記区間時間におけるピッチを算出するピッチ算出手段とを備えて成ることを特徴とするピッチ計測機能を有する電子機器。
【請求項２】
前記計時手段は、前記区間時間を計測すると共に前記区間時間において前記周期的信号の計測動作が行われる区間内有効時間を計測して、前記区間内有効時間を区間内有効時間に関する情報として前記記憶手段に記憶し、
前記ピッチ算出手段は、前記記憶手段に記憶した区間内有効時間と前記区間時間における計数値とに基づいて前記区間時間におけるピッチを算出することを特徴とする請求項１記載のピッチ計測機能を有する電子機器。
【請求項３】
前記計時手段は、前記区間時間を計測すると共に前記区間時間において前記周期的信号の計測動作が行われる区間内有効時間を計測し、前記区間時間及び前記区間時間において前記周期的信号の計測動作が行われる有効時間割合を、前記区間内有効時間に関する情報として前記記憶手段に記憶し、
前記ピッチ算出手段は、前記記憶手段に記憶した有効時間割合及び区間時間とに基づいて区間内有効時間を算出し、前記区間内有効時間と前記区間時間における計数値とに基づいて前記区間時間におけるピッチを算出することを特徴とする請求項１記載のピッチ計測機能を有する電子機器。
【請求項４】
前記計時手段は、前記区間時間を計測すると共に前記区間時間において前記周期的信号の計測動作が禁止される区間内非有効時間を計測して、前記区間時間及び区間内非有効時間を前記区間内有効時間に関する情報として前記記憶手段に記憶し、
前記ピッチ算出手段は、前記記憶手段に記憶した区間時間から区間内非有効時間を減算することによって区間内有効時間を算出し、前記区間内有効時間と前記区間時間における計数値とに基づいて前記区間時間におけるピッチを算出することを特徴とする請求項１記載のピッチ計測機能を有する電子機器。
【請求項５】
前記計時手段は、前記区間時間を計測すると共に前記区間時間において前記周期的信号の計測動作が禁止される区間内非有効時間を計測し、前記区間時間及び前記区間時間において前記周期的信号の計測動作が禁止される非有効時間割合を、前記区間内有効時間に関する情報として前記記憶手段に記憶し、
前記ピッチ算出手段は、前記記憶手段に記憶した非有効時間割合及び区間時間とに基づいて区間内有効時間を算出し、前記区間内有効時間と前記区間時間における計数値とに基づいて前記区間時間におけるピッチを算出することを特徴とする請求項１記載のピッチ計測機能を有する電子機器。
【請求項６】
入力手段を有し、前記区間時間は前記入力手段によって指定されることを特徴とする請求項１乃至５のいずれか一に記載のピッチ計測機能を有する電子機器。
【請求項７】
前記周期的信号は歩行に対応する歩行信号であり、前記計数値は歩数であることを特徴とする請求項１乃至６のいずれか一に記載のピッチ計測機能を有する電子機器。
【請求項８】
アラーム報知するアラーム手段を有し、前記アラーム手段がアラーム報知している時間は区間内非有効時間として区間内有効時間から除外されることを特徴とする請求項１乃至７のいずれか一に記載のピッチ計測機能を有する電子機器。
【発明の詳細な説明】
【技術分野】
【０００１】
本発明は、歩行信号等の周期的に発生する周期的信号のピッチ計測機能を有する電子機器に関する。
【背景技術】
【０００２】
従来から、歩行（走行を含む）ピッチ（単位時間当たりの歩数）を計測する電子機器が開発されている（例えば、特許文献１、２参照）。
これらの電子機器は、歩数検出手段を有し、所定の区間において検出された歩数と区間時間に基づいて、単位時間当たりの歩数を演算し、ピッチとして表示するように構成されている。特にピッチは１分間あたりの歩数「歩／分」に換算されて表示されることが多い。
歩数検出機能付きの電子機器は、本来であれば計測中は常に歩数検出を行うことが望ましいのであるが、他の機能も含めたトータルの製品としては、さまざまな状況で一時的に歩数検出動作を禁止せざるを得ない状況が多々存在する。
【０００３】
例えば、報音機能を製品に付加した場合、歩数検出動作中に報音機能が作動すると、報音によりノイズが発生し、歩いて（または走って）いないにも拘わらず、歩行センサが前記ノイズに反応して歩行として誤検出し、誤って歩数を計数してしまうという問題がある。
また、電池で駆動しているような場合には、一時的に負荷が増大して大電流が流れると電源電圧が低下し、正常な歩数計測が行えなくなってしまう可能性が生じるという問題がある。
これらのような状況では、一時的に歩数検出動作を禁止するといった動作を行うこととなる。
【０００４】
図１２及び図１３は、従来の歩数計の処理を示すフローチャートである。
図１２、図１３において、入力部を操作することによってピッチを計測する時間である区間時間の計測を開始すると（ステップＳ１２１）、歩数計測動作が禁止されておらず（ステップＳ１２２）、且つ歩行信号が検出された場合（ステップＳ１２３）、今まで計測していた歩数に１歩加算して現時点の累積歩数を計数する（ステップＳ１２４）。前記区間時間の間前記歩数計測動作を行った後、入力部を操作することによって歩数計測動作を終了し（ステップＳ１２５）、前記区間時間と前記区間時間に検出した区間歩数を記憶部に記憶して、歩数計測動作を終了する（ステップＳ１２６、Ｓ１２７）。
歩数等の計測結果からピッチを算出する場合、記憶部に記憶した区間時間及び区間歩数を読み出し（ステップＳ１３１、Ｓ１３２）、区間歩数を区間時間によって除算することにより前記区間時間における平均ピッチ（区間ピッチ）を算出し（ステップＳ１３３）、前記区間ピッチを表示部に表示する（ステップＳ１３４）。
【０００５】
前述の如くして区間ピッチを算出する場合、その区間時間内に一時的に歩数検出動作を禁止した時間があると、歩数計測を禁止にした分だけ歩数が減少してしまうため、結果として、算出したピッチが小さくなってしまうという問題がある。
前記問題を解決する方法として、特許文献３記載の発明を利用して、歩数検出動作禁止時間分の歩数を直前のピッチに基づいて補正するが考えられる。この場合、ピッチを計測する単位時間である区間時間は正しく計測することが可能であるが、歩数検出動作禁止区間中に実際のピッチが変動した場合（例えば走行を止めてしまった場合など）には、正しいピッチを算出することが困難という問題がある。
また、歩数計のみならず、心拍計や脈拍計等の周期的に発生する周期的信号のピッチ計測機能を有する電子機器においても前記同様の問題がある。
【０００６】
【特許文献１】特開平７−１０５３３７号公報
【特許文献２】特開平７−１０４０７７号公報
【特許文献３】特開２００１−１３４７３９号公報
【発明の開示】
【発明が解決しようとする課題】
【０００７】
本発明は、前記問題点に鑑み成されたもので、区間時間において歩数計測できない時間が生じた場合でも、より正確なピッチを得ることができるようにすることを課題としている。
【課題を解決するための手段】
【０００８】
本発明によれば、周期的に発生する周期的信号を検出する検出手段と、ピッチを計測する時間である区間時間中の計測可能な時間である区間内有効時間に関する情報及び前記周期的信号を計数した計数値を記憶する記憶手段と、計時動作を行い、前記区間内有効時間に関する情報を得て前記記憶手段に記憶する計時手段と、前記検出手段が検出した周期的信号に基づいて前記区間時間における周期的信号を計数し当該計数値を前記記憶手段に記憶する歩数計数手段と、前記記憶手段に記憶した区間内有効時間に関する情報と前記区間時間における計数値とに基づいて前記区間時間におけるピッチを算出するピッチ算出手段とを備えて成ることを特徴とするピッチ計測機能を有する電子機器が提供される。
ピッチ算出手段は、記憶手段に記憶した区間内有効時間に関する情報と区間時間における計数値とに基づいて前記区間時間におけるピッチを算出する。
【０００９】
ここで、前記計時手段は、前記区間時間を計測すると共に前記区間時間において前記周期的信号の計測動作が行われる区間内有効時間を計測して、前記区間内有効時間を区間内有効時間に関する情報として前記記憶手段に記憶し、前記ピッチ算出手段は、前記記憶手段に記憶した区間内有効時間と前記区間時間における計数値とに基づいて前記区間時間におけるピッチを算出するように構成してもよい。
【００１０】
また、前記計時手段は、前記区間時間を計測すると共に前記区間時間において前記周期的信号の計測動作が行われる区間内有効時間を計測し、前記区間時間及び前記区間時間において前記周期的信号の計測動作が行われる有効時間割合を、前記区間内有効時間に関する情報として前記記憶手段に記憶し、前記ピッチ算出手段は、前記記憶手段に記憶した有効時間割合及び区間時間とに基づいて区間内有効時間を算出し、前記区間内有効時間と前記区間時間における計数値とに基づいて前記区間時間におけるピッチを算出するように構成してもよい。
【００１１】
また、前記計時手段は、前記区間時間を計測すると共に前記区間時間において前記周期的信号の計測動作が禁止される区間内非有効時間を計測して、前記区間時間及び区間内非有効時間を前記区間内有効時間に関する情報として前記記憶手段に記憶し、前記ピッチ算出手段は、前記記憶手段に記憶した区間時間から区間内非有効時間を減算することによって区間内有効時間を算出し、前記区間内有効時間と前記区間時間における計数値とに基づいて前記区間時間におけるピッチを算出するように構成してもよい。
【００１２】
また、前記計時手段は、前記区間時間を計測すると共に前記区間時間において前記周期的信号の計測動作が禁止される区間内非有効時間を計測し、前記区間時間及び前記区間時間において前記周期的信号の計測動作が禁止される非有効時間割合を、前記区間内有効時間に関する情報として前記記憶手段に記憶し、前記ピッチ算出手段は、前記記憶手段に記憶した非有効時間割合及び区間時間とに基づいて区間内有効時間を算出し、前記区間内有効時間と前記区間時間における計数値とに基づいて前記区間時間におけるピッチを算出するように構成してもよい。
【００１３】
また、入力手段を有し、前記区間時間は前記入力手段によって指定されるように構成してもよい。
また、前記周期的信号は歩行に対応する歩行信号であり、前記計数値は歩数であるように構成してもよい。
また、アラーム報知するアラーム手段を有し、前記アラーム手段がアラーム報知している時間は区間内非有効時間として区間内有効時間から除外されるように構成してもよい。
【発明の効果】
【００１４】
本発明によれば、ピッチ計測機能を有する電子機器において、区間時間において歩数計測できない時間が生じた場合でも、より正確なピッチを得ることが可能になる。
【発明を実施するための最良の形態】
【００１５】
以下、本発明の実施の形態に係るピッチ計測機能を有する電子機器について説明する。尚、各図において同一部分には同一符号を付している。
図１は、本発明の実施の形態に係るピッチ計測機能を有する電子機器のブロック図で、携帯型電子機器である歩数計の例を示している。図１のブロック図は、後述する各実施の形態に共通するブロック図である。
図１において、歩数計は、使用者の歩行（以下、走行を含む。）を検出する毎に対応する歩行信号を出力する歩行センサとしての加速度センサ１０１、加速度センサ１０１から出力される信号中のノイズを除去して歩行信号を出力するフィルタ部１０２、フィルタ部１０２からの歩行信号を増幅して出力する増幅部１０３、増幅部１０３からのアナログ信号形式の歩行信号をデジタル信号形式の歩行信号に変換して出力する二値化部１０４を備えている。
【００１６】
また、歩数計は、中央処理装置（ＣＰＵ）１０５、操作スイッチ等によって構成され歩数計測開始操作等の各種操作を行う入力部１０６、表示による報知を行ったり計測した歩数あるいは現在時刻等を表示する表示部１０７、音によって報知を行う報音部１０８、ＣＰＵ１０５用の基準クロック信号や計時動作を行う際の時間信号の元になる信号を発生する発振部１０９、ＣＰＵ１０５が実行するプログラムや歩数等のデータを記憶する記憶部１１０を備えている。
【００１７】
ＣＰＵ１０５は、発振部１０９からの信号に基づいて現在時刻等の計時動作を行う。
入力部１０６の操作により、歩数の計測開始や計測終了の指示（区間時間の指定）、アラーム条件（報知条件）の設定等を行う。前記報知条件としては例えば所定時刻の到来がある。ＣＰＵ１０５は、入力部１０６によって設定された内容を参照して、報音部１０８の報知態様を制御することになる。
加速度センサ１０１として、ピエゾ素子等の加速度センサや、機械的な歩行センサ等の各種歩行センサが使用可能である。
【００１８】
尚、加速度センサ１０１、フィルタ部１０２、増幅部１０３、二値化部１０４は検出手段を構成している。入力部１０６は入力手段を構成し、表示部１０７は表示手段を構成し、報音部１０８は報知手段を構成し、記憶部１１０は記憶手段を構成している。ＣＰＵ１０５は、歩数計数手段、ピッチ算出手段を構成している。また、ＣＰＵ１０５及び発振部１０９は計時手段を構成している。
【００１９】
検出手段は、周期的に発生する周期的信号（例えば歩行に対応する歩行信号）を検出することができる。
記憶手段は、ピッチを計測する時間である区間時間中の計測可能な時間である区間内有効時間に関する情報及び周期的信号を計数した計数値を記憶することができる。
計時手段は、計時動作を行い、区間内有効時間に関する情報を得て記憶手段に記憶することができる。
歩数計数手段は、検出手段が検出した周期的信号に基づいて区間時間における周期的信号を計数し当該計数値を記憶手段に記憶することができる。
ピッチ算出手段は、記憶手段に記憶した区間内有効時間に関する情報と区間時間における計数値とに基づいて区間時間におけるピッチを算出することができる。
【００２０】
図２は、本発明の第１の実施の形態に係る歩数計の処理を示すフローチャートで、歩数計測処理を示すフローチャートである。
図３は、本発明の第１の実施の形態に係る歩数計の処理を示すフローチャートで、ピッチ算出処理を示すフローチャートである。
また、図４は、本発明の第１の実施の形態に係る歩数計の処理を示すフローチャートで、歩数計測動作計測禁止となる例を示すフローチャートである。
また、図５は、本発明の第１の実施の形態に係る歩数計の処理を示すフローチャートで、歩数計測動作計測禁止の解除となる例を示すフローチャートである。
尚、図４及び図５の処理は後述する各実施の形態に共通する処理である。
【００２１】
以下、図１〜図５を用いて、本発明の第１の実施の形態の動作を詳細に説明する。
使用者が、入力部１０６を操作することによって歩行ピッチを計測する時間である区間時間の計測を開始させると同時に、歩数計を身体に装着し又は携帯バッグ等に収納した状態で携帯して歩行開始する。
ＣＰＵ１０５は、入力部１０６からの区間時間計測開始指示に応答して、発振部１０９からの信号に基づいて区間時間の計時動作を開始する（ステップＳ２０１）。
ＣＰＵ１０５は、歩数計測動作が禁止されているか否かを判定し（ステップＳ２０２）、歩数計測動作が禁止されていない場合には、発振部１０９からの信号に基づいて歩数計測動作を行っている時間（区間歩数計測動作有効時間；区間時間から歩数計測動作が禁止されている時間（区間歩数計測動作禁止時間）を差し引いた時間）の計測処理を行う（ステップＳ２０３）。
【００２２】
ここで、歩数計測動作禁止の一例を図４を用いて説明する。図４に示す歩数計測動作禁止の例は、設定時刻にアラームが鳴動した場合に、アラーム鳴動時によって発生するノイズにより、歩数計測誤りが発生するのを防止するようにした例である。
図４において、ＣＰＵ１０５は、発振部１０９からの信号に基づいて現在時刻の計時動作を行っており、アラーム設定時刻と現在時刻が一致したとき（ステップＳ４０１）、歩数計測動作を禁止に設定して（ステップＳ４０２）、報音部１０８からアラーム鳴動させる（ステップＳ４０３）。これにより、アラーム鳴動時に発生する歩数測定誤りを抑制することができる。
【００２３】
図５は、歩数計測動作禁止が解除される例であり、アラームによって歩数計測動作禁止となった後、歩数計測禁止動作を解除するようにした例である。
図５において、ＣＰＵ１０５は、報音部１０８がアラーム報音開始した後、アラーム報音終了条件が成立したか否かを判定する（ステップＳ５０１）。前記アラーム報音終了条件としては、例えば、入力部１０６によるアラーム鳴り止め操作が行われた場合、あるいは、報音終了時刻になった場合等がある。
ＣＰＵ１０５は、処理ステップＳ５０１において、アラーム報音終了条件が成立したと判定すると、報音部１０８のアラーム報音動作を終了させた後（ステップＳ５０２）、歩数計測動作の禁止を解除する（ステップＳ５０３）。これにより、ＣＰＵ１０５は歩数計測動作が可能になる。処理ステップＳ４０２の歩行計測動作禁止処理から処理ステップＳ５０３の歩行計測動作禁止解除処理までの時間が区間歩数計測動作禁止時間となる。
【００２４】
以上のようにして、ＣＰＵ１０５は、入力部１０６からの区間時間計測開始指示に応答して区間時間の計測を行うと共に、これと同時に並行して区間歩数計測動作有効時間の計測を行う。
加速度センサ１０１は歩行を検出して歩行毎に対応する歩行信号を出力する。前記歩行信号は、フィルタ部１０２、増幅部１０３、二値化部１０４を介して、デジタル信号形式の歩行信号としてＣＰＵ１０５に入力される。
【００２５】
ＣＰＵ１０５は、二値化部１０４等を介して加速度センサ１０１からの歩行信号が入力されたと判断すると（ステップＳ２０４）、今までの累積歩数に１歩加算して現時点の累積歩数を計数する（ステップＳ２０５）。前記区間時間の間、処理ステップＳ２０２〜Ｓ２０５の歩数計測動作を行った後、使用者が入力部１０６を操作することによって区間時間計測動作を終了させる。ＣＰＵ１０５は、入力部１０６の計測時間終了操作に応答して区間時間計測動作を終了すると共に歩数計測動作を終了した後（ステップＳ２０６）、前記区間時間（入力部１０６による歩数計測動作開始指示から歩数計測動作終了指示までの時間）と前記区間時間において検出した歩数（区間歩数）を記憶部１１０に記憶し（ステップＳ２０７）又、前記区間時間における区間歩数計測動作有効時間を記憶部１１０に記憶して歩数計測動作を終了する（ステップＳ２０８）。区間歩数計測動作有効時間は、区間時間中の歩数計測可能な時間である区間内有効時間に相当する。
【００２６】
歩数等の計測結果から前記区間時間における平均歩行ピッチを算出する場合、図３において、ＣＰＵ１０５は、記憶部１１０に記憶した前記区間時間における区間歩数計測動作有効時間及び前記区間時間における区間歩数を読み出し（ステップＳ３０１、Ｓ３０２）、区間歩数を区間歩数計測動作有効時間によって除算することにより前記区間時間における平均歩行ピッチ（区間ピッチ）を算出し（ステップＳ３０３）、前記区間ピッチを表示部１０７に表示させる（ステップＳ３０４）。
【００２７】
以上述べたように、本第１の実施の形態に係る歩数計では、加速度センサ１０１は歩行に対応する歩行信号を、フィルタ部１０２、増幅部１０３、二値化部１０４を介してＣＰＵ１０５に出力する。記憶部１１０はピッチを計測区間時間の計測時間である区間内有効時間に関する情報及び歩数を記憶する。ＣＰＵ１０５は、歩数計時動作を行って、ピッチを計測する区間時間内の歩数計測可能な区間内有効時間に関する情報を得て記憶部１１０に記憶し、加速度センサ１０５が検出した歩行信号に基づいて区間時間における歩数を計数して記憶部１１０に記憶する。ＣＰＵ１０５は、記憶部１１０に記憶した区間内有効時間に関する情報と区間時間における歩数とに基づいて、区間時間の歩行ピッチを算出するように構成している。
したがって、区間時間において歩数計測できない時間が生じた場合でも、より正確なピッチを得ることが可能になる。
【００２８】
図６は、本発明の第２の実施の形態に係る歩数計の処理を示すフローチャートで、歩数計測処理を示すフローチャートである。
図７は、本発明の第２の実施の形態に係る歩数計の処理を示すフローチャートで、ピッチ算出処理を示すフローチャートである。
尚、本第２の実施の形態において、回路ブロック図、歩数計測動作禁止の処理、歩数計測動作禁止解除の処理は、各々、図１、図４、図５と同じである。
【００２９】
以下、図１、図４〜図７を用いて、主に前記第１の実施の形態と相違する部分について本第２の実施の形態の動作を説明する。
ＣＰＵ１０５は、入力部１０６からの区間時間計測開始指示に応答して、発振部１０９からの信号に基づいて区間時間の計時動作を開始する（ステップＳ２０１）。
ＣＰＵ１０５は、歩数計測動作が禁止されているか否かを判定し（ステップＳ２０２）、歩数計測動作が禁止されていない場合には、二値化部１０４等を介して加速度センサ１０１からの歩行信号が入力されたと判断すると（ステップＳ２０４）、今までの累積歩数に１歩加算して現時点の累積歩数を計数する（ステップＳ２０５）。
【００３０】
ＣＰＵ１０５は、処理ステップＳ２０２において前記区間時間において歩数計測動作が禁止されていると判定した場合、当該区間時間において歩数計測動作が禁止されている時間である区間歩数計測動作禁止時間を計測して処理ステップＳ２０６に移行する（ステップＳ６０１）。
また、ＣＰＵ１０５は、処理ステップＳ２０８において区間歩数を記憶部１１０に記憶した後、当該区間時間において計測した累積の区間歩数計測動作禁止時間を記憶部１１０に記憶する（ステップＳ６０２）。区間歩数計測動作禁止時間は、歩数計測動作が禁止される区間内非有効時間である。区間時間及び区間内非有効時間は区間内有効時間に関する情報として記憶部１１０に記憶される。
以上のようにして、ＣＰＵ１０５は、入力部１０６からの区間時間計測開始指示に応答して区間時間の計測を行うと共に、これと並行して区間歩数計測動作禁止時間の計測を行う。
【００３１】
歩数等の計測結果から前記区間時間における平均歩行ピッチを算出する場合、図７において、ＣＰＵ１０５は、記憶部１１０に記憶した区間時間、前記区間時間における区間歩数及び前記区間時間における区間歩数計測動作禁止時間を読み出す（ステップＳ７０１〜Ｓ７０３）。
次にＣＰＵ１０５は、区間時間から区間歩数計測動作禁止時間を減算することによって区間歩数計測動作有効時間を算出し（ステップＳ７０４）、区間歩数を区間歩数計測動作有効時間によって除算することにより前記区間時間における平均歩行ピッチ（区間ピッチ）を算出し（ステップＳ７０５）、前記区間ピッチを表示部１０７に表示させる（ステップＳ７０６）。
【００３２】
以上述べたように、本第２の実施の形態に係るピッチ計測機能を有する電子機器においても前記第１の実施の形態と同様に、区間時間において歩数計測できない時間が生じた場合でもより正確なピッチを得ることが可能になる。
また、前記第１の実施の形態では、記憶部１１０には区間歩数計測動作有効時間を記憶するように構成したが、本第２の実施の形態では、区間歩数計測動作有効時間の代わりに区間内非有効時間である区間歩数計測動作禁止時間を記憶するように構成している。一般的には、区間歩数計測動作禁止時間の方が区間歩数計測動作有効時間よりも短いため、記憶部１１０に記憶するデータ量を少なくすることが可能になる。
【００３３】
図８は、本発明の第３の実施の形態に係る歩数計の処理を示すフローチャートで、歩数計測処理を示すフローチャートである。
図９は、本発明の第３の実施の形態に係る歩数計の処理を示すフローチャートで、ピッチ算出処理を示すフローチャートである。
尚、本第３の実施の形態において、回路ブロック図、歩数計測動作禁止の処理、歩数計測動作禁止解除の処理は、各々、図１、図４、図５と同じである。
【００３４】
以下、図１、図４、図５、図８及び図９を用いて、主に前記第１の実施の形態と相違する部分について本第３の実施の形態の動作を説明する。
ＣＰＵ１０５は、区間時間における区間歩数を記憶部１１０に記憶した後（ステップＳ２０８）、前記区間時間における区間歩数計測動作有効時間の時間割合（区間歩数計測動作有効時間割合）を記憶部１１０に記憶して歩数計測動作を終了する（ステップＳ８０１）。区間時間及び区間歩数計測動作有効時間割合は区間内有効時間に関する情報として記憶部１１０に記憶される。
【００３５】
歩数等の計測結果から前記区間時間における平均歩行ピッチを算出する場合、図９において、ＣＰＵ１０５は、記憶部１１０に記憶した区間時間、前記区間時間における区間歩数及び前記区間時間における区間歩数計測動作有効時間割合を読み出す（ステップＳ９０１〜Ｓ９０３）。
次にＣＰＵ１０５は、区間歩数計測動作有効時間割合に基づいて区間時間を補正し、歩数計測動作を有効に行った時間（補正区間時間であり区間歩数計測動作有効時間に相当する時間である。）を算出する（ステップＳ９０４）。
次に、ＣＰＵ１０５は、区間歩数を補正区間時間によって除算することにより前記区間時間における平均歩行ピッチ（区間ピッチ）を算出し（ステップＳ９０５）、前記区間ピッチを表示部１０７に表示させる（ステップＳ９０６）。
【００３６】
以上述べたように、本第３の実施の形態に係るピッチ計測機能を有する電子機器においても前記第１の実施の形態と同様に、区間時間において歩数計測できない時間が生じた場合でもより正確なピッチを得ることが可能になる。
また、前記第１の実施の形態では、記憶部１１０には区間歩数計測動作有効時間を記憶するように構成したが、本第３の実施の形態では、区間歩数計測動作有効時間の代わりに区間歩数計測動作有効時間割合を記憶するように構成している。このように、割合に変換し、保存することで、区間歩数計測動作有効時間を直接保存する場合と比較すると、保存に必要なメモリ量を削減することが出来る。例えば、最大計測時間が２４時間で１／１００秒の分解能の場合、区間歩数計測動作有効時間として２３時間５９分５９秒９９までデータが必要となるが、１％分解能の割合に変換した場合は、０〜１００までのデータで十分となる。
【００３７】
図１０は、本発明の第４の実施の形態に係る歩数計の処理を示すフローチャートで、歩数計測処理を示すフローチャートである。
図１１は、本発明の第４の実施の形態に係る歩数計の処理を示すフローチャートで、ピッチ算出処理を示すフローチャートである。
尚、本第４の実施の形態において、回路ブロック図、歩数計測動作禁止の処理、歩数計測動作禁止解除の処理は、各々、図１、図４、図５と同じである。
【００３８】
以下、図１、図４、図５、図１０及び図１１を用いて、主に前記第２、第３の実施の形態と相違する部分について本第４の実施の形態の動作を説明する。
ＣＰＵ１０５は、区間時間における区間歩数を記憶部１１０に記憶した後（ステップＳ２０８）、前記区間時間における区間歩数計測動作禁止時間の時間割合（区間歩数計測動作非有効時間割合）を記憶部１１０に記憶して歩数計測動作を終了する（ステップＳ１００１）。区間時間及び区間歩数計測動作非有効時間割合は区間内有効時間に関する情報として記憶部１１０に記憶される。
【００３９】
歩数等の計測結果から前記区間時間における平均歩行ピッチを算出する場合、図１１において、ＣＰＵ１０５は、記憶部１１０に記憶した区間時間、前記区間時間における区間歩数及び前記区間時間における区間歩数計測動作非有効時間割合を読み出す（ステップＳ９０１、Ｓ９０２、Ｓ１１０１）。
次にＣＰＵ１０５は、区間歩数計測動作非有効時間割合に基づいて区間時間を補正し、歩数計測動作を有効に行った時間（補正区間時間であり、区間時間から区間歩数計測動作非有効時間割合に相当する時間を差し引いた時間である。）を算出する（ステップＳ１１０２）。
次に、ＣＰＵ１０５は、区間歩数を補正区間時間によって除算することにより前記区間時間における平均歩行ピッチ（区間ピッチ）を算出し（ステップＳ９０５）、前記区間ピッチを表示部１０７に表示させる（ステップＳ９０６）。
【００４０】
以上述べたように、本第４の実施の形態に係るピッチ計測機能を有する電子機器においても前記第３の実施の形態と同様に、区間時間において歩数計測できない時間が生じた場合でもより正確なピッチを得ることが可能になると共に、区間歩数計測動作非有効時間割合を記憶することによって、保存に必要なメモリ量を削減することが可能になる。
尚、前記各実施の形態は歩数計の例で説明したが、心拍計、脈拍計等、周期的に発生する信号のピッチ計測機能を有する電子機器に適用可能である。周期的信号は、心拍計では心拍信号、脈拍計では脈拍信号である。
【産業上の利用可能性】
【００４１】
歩数計、心拍計、脈拍計等の各種のピッチ計測機能を有する電子機器に適用可能である。
【図面の簡単な説明】
【００４２】
【図１】本発明の実施の形態に係るピッチ計測機能を有する電子機器のブロック図である。
【図２】本発明の第１の実施の形態に係るピッチ計測機能を有する電子機器のフローチャートである。
【図３】本発明の第１の実施の形態に係るピッチ計測機能を有する電子機器のフローチャートである。
【図４】本発明の実施の形態に係るピッチ計測機能を有する電子機器のフローチャートである。
【図５】本発明の実施の形態に係るピッチ計測機能を有する電子機器のフローチャートである。
【図６】本発明の第２の実施の形態に係るピッチ計測機能を有する電子機器のフローチャートである。
【図７】本発明の第２の実施の形態に係るピッチ計測機能を有する電子機器のフローチャートである。
【図８】本発明の第３の実施の形態に係るピッチ計測機能を有する電子機器のフローチャートである。
【図９】本発明の第３の実施の形態に係るピッチ計測機能を有する電子機器のフローチャートである。
【図１０】本発明の第４の実施の形態に係るピッチ計測機能を有する電子機器のフローチャートである。
【図１１】本発明の第４の実施の形態に係るピッチ計測機能を有する電子機器のフローチャートである。
【図１２】従来の歩数計のフローチャートである。
【図１３】従来の歩数計のフローチャートである。
【符号の説明】
【００４３】
１０１・・・加速度センサ
１０２・・・フィルタ部
１０３・・・増幅部
１０４・・・二値化部
１０５・・・ＣＰＵ
１０６・・・入力部
１０７・・・表示部
１０８・・・報音部
１０９・・・発振部
１１０・・・記憶部
【図１】
2010051548.tif 000003
【図２】
2010051548.tif 000004
【図３】
2010051548.tif 000005
【図４】
2010051548.tif 000006
【図５】
2010051548.tif 000007
【図６】
2010051548.tif 000008
【図７】
2010051548.tif 000009
【図８】
2010051548.tif 000010
【図９】
2010051548.tif 000011
【図１０】
2010051548.tif 000012
【図１１】
2010051548.tif 000013
【図１２】
2010051548.tif 000014
【図１３】
2010051548.tif 000015